(57)【要約】      （修正有）【課題】寝たままの姿勢や体の不自由な被験者でも簡単な操作で使用できる色彩心理検査具を提供する。【解決手段】中心に配置された中心セットエリア３と、上記中心セットエリアの左方に配置された左方セットエリア５と、上記中心セットエリアの右方に配置された右方セットエリア７と、上記中心セットエリアの上方に配置された上方セットエリア９と、上記中心セットエリアの下方に配置された下方セットエリア１１とを有し、弾発生部材からなるセット台座１３と、上記各セットエリアに個別にセットされ弾発生部材からなる複数のカラーピースと、を具備し、上記各セットエリアと上記各カラーピースとの間には、セットされたカラーピースを圧入嵌合状態で保持する嵌合保持構造３５が設けられている。各色のカラーピースの選択、選択の順序と、各セットエリアへの配置、配置の方向とによって、被験者の現在の心理状態等の理解に役立てることができる。【選択図】図１
0003150308.tif 000002
【実用新案登録請求の範囲】
【請求項１】
中心に配置された中心セットエリアと、上記中心セットエリアの左方に配置された左方セットエリアと、上記中心セットエリアの右方に配置された右方セットエリアと、上記中心セットエリアの上方に配置された上方セットエリアと、上記中心セットエリアの下方に配置された下方セットエリアとを有し、弾発生部材からなるセット台座と、
上記各セットエリアに個別にセットされ弾発生部材からなる複数のカラーピースと、
を具備し、
上記各セットエリアと上記各カラーピースとの間には、セットされたカラーピースを圧入嵌合状態で保持する嵌合保持構造が設けられていることを特徴とする色彩心理検査具。
【請求項２】
請求項１に記載の色彩心理検査具において、
上記嵌合保持構造は、上記各セットエリアに設けられている嵌合凸部と、
上記カラーピースに設けられている嵌合凹部と、によって構成されていることを特徴とする色彩心理検査具。
【請求項３】
請求項１に記載の色彩心理検査具において、
上記嵌合保持構造は、上記各セットエリアに設けられている嵌合凹部と、
上記各カラーピースに設けられている嵌合凸部と、によって構成されていることを特徴とする色彩心理検査具。
【請求項４】
請求項２又は請求項３記載の色彩心理検査具において、
上記嵌合保持構造には、上記カラーピースのセットエリアへの挿入を容易にする嵌合案内構造が設けられていることを特徴とする色彩心理検査具。
【請求項５】
請求項４に記載の色彩心理検査具において、
上記嵌合案内構造は、上記カラーピースとセットエリアの嵌合開始部位に設けられる案内作用面によって構成されていることを特徴とする色彩心理検査具。
【請求項６】
請求項５記載の色彩心理検査具において、
上記セット台座とカラーピースはＥＶＡ樹脂製であることを特徴とする色彩心理検査具。
【請求項７】
請求項６記載の色彩心理検査具において、
上記カラーピースは立方体形状を有していることを特徴とする色彩心理検査具。
【考案の詳細な説明】
【技術分野】
【０００１】
本考案は、色彩と心の関係に基づいて色彩心理検査を行う場合に使用できる色彩心理検査具に係り、特に、ベッドに寝た姿勢でも使用できるように取り扱いを容易にした色彩心理検査具に関する。
【背景技術】
【０００２】
従来から色彩と心の関係が注目されており、被験者の心理状態を個別に検査する色彩心理検査の分野でも種々の色彩心理検査具が考案され、使用されている。
色彩には、それぞれの色が持つ固有の心理学的なイメージがあり、さらに複数の色の選択、選択の順序、配置及び配置方向等を組み合わせることによって、被験者の現在の心理状態、被験者の過去や未来に対する心理状態及び被験者の顕在意識や無意識に対する心理状態等の理解に役立てることができる。
【０００３】
本出願人は、このような色彩と心の関係に着目し、既に下記の特許文献１に示す色彩心理検査具の開発に成功し出願に及んでいる。
特許文献１に開示されている色彩心理検査具は、選択した色彩を直接着色したり、予め用意しておいた色付き置き具を配置するための選択領域欄を少なくとも備える簡易な構造になっている。
【先行技術文献】
【特許文献】
【０００４】
【特許文献１】特開２００２―３０６４５９号公報
【考案の概要】
【考案が解決しようとする課題】
【０００５】
しかし、上記特許文献１に開示されている色彩心理検査具の場合には、着色するための筆記用具等が別途必要であったり、色付き置き具の選択領域欄への配置が困難であり、保持が不十分なため一旦配置しても直ぐに落ちてしまったりと、取り扱いの点で改良の余地が存在していた。
【０００６】
本考案は、このような点に基づいてなされたものでその目的とするところは、ベッドに寝たままの姿勢や体の不自由な被験者でも安心して簡単な操作で使用することができ、筆記用具等が不要でカラーピースのセットエリアへの配置が容易で脱落の心配のない取り扱いが極めて容易な色彩心理検査具を提供することにある。
【課題を解決するための手段】
【０００７】
上記目的を達成するべく本願考案の請求項１による色彩心理検査具は、中心に配置された中心セットエリアと、上記中心セットエリアの左方に配置された左方セットエリアと、上記中心セットエリアの右方に配置された右方セットエリアと、上記中心セットエリアの上方に配置された上方セットエリアと、上記中心セットエリアの下方に配置された下方セットエリアとを有し、弾発生部材からなるセット台座と、上記各セットエリアに個別にセットされ弾発生部材からなる複数のカラーピースと、を具備し、上記各セットエリアと上記各カラーピースとの間には、セットされたカラーピースを圧入嵌合状態で保持する嵌合保持構造が設けられていることを特徴とするものである。
又、請求項２による色彩心理検査具は、請求項１に記載の色彩心理検査具において、上記嵌合保持構造は、上記各セットエリアに設けられている嵌合凸部と、上記カラーピースに設けられている嵌合凹部と、によって構成されていることを特徴とするものである。
又、請求項３による色彩心理検査具は、請求項１に記載の色彩心理検査具において、上記嵌合保持構造は、上記各セットエリアに設けられている嵌合凹部と、上記各カラーピースに設けられている嵌合凸部と、によって構成されていることを特徴とするものである。
又、請求項４による色彩心理検査具は、請求項２又は請求項３記載の色彩心理検査具において、上記嵌合保持構造には、上記カラーピースのセットエリアへの挿入を容易にする嵌合案内構造が設けられていることを特徴とするものである。
又、請求項５による色彩心理検査具は、請求項４に記載の色彩心理検査具において、上記嵌合案内構造は、上記カラーピースとセットエリアの嵌合開始部位に設けられる案内作用面によって構成されていることを特徴とするものである。
又、請求項６による色彩心理検査具は、請求項５記載の色彩心理検査具において、上記セット台座とカラーピースはＥＶＡ樹脂製であることを特徴とするものである。
又、請求項７による色彩心理検査具は、請求項６記載の色彩心理検査具において、上記カラーピースは立方体形状を有していることを特徴とするものである。
【考案の効果】
【０００８】
したがって、本考案による色彩心理検査具によると、中心に配置された中心セットエリアと、上記中心セットエリアの左方に配置された左方セットエリアと、上記中心セットエリアの右方に配置された右方セットエリアと、上記中心セットエリアの上方に配置された上方セットエリアと、上記中心セットエリアの下方に配置された下方セットエリアとを有し、弾発生部材からなるセット台座と、上記各セットエリアに個別にセットされ弾発生部材からなる複数のカラーピースと、を具備し、上記各セットエリアと上記各カラーピースとの間には、セットされたカラーピースを圧入嵌合状態で保持する嵌合保持構造が設けられているので、筆記用具等を使用することなく、各色のカラーピースの選択、選択の順序と、各セットエリアへの配置、配置の方向とによって、被験者の現在の心理状態、被験者の過去や未来に対する心理状態及び被験者の顕在意識や無意識に対する心理状態等の理解に役立てることができる。
又、上記各セットエリアと上記各カラーピースとの間には、セットされたカラーピースを圧入嵌合状態で保持する嵌合保持構造が設けられているから、カラーピースの保持力が高まり、ベッドに寝たままの姿勢で使用したり、体の不自由な被験者でも安心して簡単な操作で色彩心理検査を受けることができるようになる。
又、上記嵌合保持構造を上記各セットエリアに設けられている嵌合凸部と、上記各カラーピースに設けられている嵌合凹部と、によって構成した場合には、嵌合保持構造を簡単な構造によって構成でき、カラーピースに嵌合凸部を設けないことによってセット前のカラーピースの載置姿勢が安定し、不用意なカラーピースの転倒や落下が防止され、カラーピースの保管も容易になる。
又、上記嵌合保持構造を上記各セットエリアに設けられている嵌合凹部と、上記各カラーピースに設けられている嵌合凸部と、によって構成した場合には、嵌合保持構造を簡単な構造によって構成でき、セットエリアに嵌合凸部を設けないことによって、セット台座の成形が容易になる。又、カラーピース自体の形状を嵌合凸部として使用することも可能であり、このような構成にすればカラーピースの成形も容易になり、不用意なカラーピースの転倒や落下が防止される。
又、上記嵌合保持構造にカラーピースのセットエリアへの挿入を容易にする嵌合案内構造を設けた場合には、カラーピースは上記嵌合保持構造によってセットエリアへの挿入、そして嵌合が案内されるから円滑なカラーピースの嵌合が実行される。したがって、体の不自由な人やお年寄りでもストレスを感じさせることなく色彩心理検査を行うことができるようになる。
又、上記嵌合案内構造を上記カラーピースとセットエリアの嵌合開始部位に設けられる案内作用面によって構成した場合には、嵌合案内構造を簡単な構造によって構成でき、カラーピースの嵌合開始時には嵌合案内構造が作用してカラーピースの円滑な挿入を可能にし、カラーピースの嵌合完了時には嵌合保持構造によってカラーピースの保持に必要な保持力が確保される。
又、上記セット台座とカラーピースをＥＶＡ樹脂製とすることにより、嵌合・保持が確実なものとなると共に取り扱いも容易なものとなる。
又、上記カラーピースを立方体形状に形成した場合には、被験者がカラーピースを握り易い形状になり、成形が容易で、セットエリアにセットする前のカラーピースの載置姿勢が安定し、不用意なカラーピースの転倒や落下が防止される。
【図面の簡単な説明】
【０００９】
【図１】本考案の第１の実施の形態を示す図で、色彩心理検査具を示す斜視図である。
【図２】本考案の第１の実施の形態を示す図で、色彩心理検査具を示すセット前の平面図である。
【図３】本考案の第１の実施の形態を示す図で、色彩心理検査具を示す２個のカラーピースを中心セットエリアと右方セットエリアにセットした状態の平面図である。
【図４】本考案の第１の実施の形態を示す図で、色彩心理検査具を示す図３中のＩＶ−ＩＶ断面図である。
【図５】本考案の第１の実施の形態を示す図で、色彩心理検査具を示す５個のカラーピースをすべてのセットエリアにセットした状態の平面図である。
【図６】本考案の第１の実施の形態を示す図で、５つのセットエリアが持つ心理的イメージを示す説明図である。
【図７】本考案の第１の実施の形態を示す図で、色彩が有する２方向の心理的イメージを図表化して示す説明図である。
【図８】本考案の第２の実施の形態を示す図で、色彩心理検査具を示す側断面図である。
【図９】本考案の第３の実施の形態を示す図で、色彩心理検査具を示す側断面図である。
【考案を実施するための形態】
【００１０】
（１）第１の実施の形態
以下、図１乃至図７を参照して本考案の第１の実施の形態に係る色彩心理検査具１について説明する。
この色彩心理検査具１は、上面に５つのセットエリア３、５、７、９、１１を有する矩形平板状のセット台座１３と、上記各セットエリア３、５、７、９、１１に個別にセットされる、一例として、一辺の長さが約３５ｍｍの立方体形状の１０色のカラーピース１５、１７、１９、２１、２３、２５、２７、２９、３１、３３と、を具備している。
【００１１】
上記５つのセットエリア３、５、７、９、１１は、中心に配置された中心セットエリアと３、上記中心セットエリア３の左方に配置された左方セットエリア５と、上記中心セットエリア３の右方に配置された右方セットエリア７と、上記中心セットエリア３の上方に配置された上方セットエリア９と、上記中心セットエリアの３の下方に配置された下方セットエリア１１と、によって構成されている。
そして、図６に示すように、上記セットエリア３は、被験者の現在の状況を示し、上記左方セットエリア５は、被験者の過去の出来事や心理状態を示し、上記右方セットエリア７は、近い未来のなりたい自分の姿や目標ないし目的を示している。又、上記上方セットエリア９は、被験者の理性的な感情や日頃の考え方の傾向を示し、上記下方セットエリア１１は、被験者の本能的な感情や自覚の少ない情動を示している。
【００１２】
又、上記１０色のカラーピース１５、１７、１９、２１、２３、２５、２７、２９、３１、３３は、赤色のカラーピース１５と、橙色のカラーピース１７と、黄色のカラーピース１９と、緑色のカラーピース２１と、青色のカラーピース２３と、紫色のカラーピース２５と、白色のカラーピース２７と、黒色のカラーピース２９と、桃色のカラーピース３１と、水色のカラーピース３３と、によって構成されており、各々の色にはポジティブ方向とネガティブ方向の２方向の心理的イメージが存在している。
【００１３】
具体的には、図７に示すように赤色はポジティブ表出語として情熱的、行動的、ネガティブ表出語として衝動的、焦りという心理的イメージを有し、橙色はポジティブ表出語として向上心、マイペース、ネガティブ表出語として自己顕示欲、おせっかいという心理的イメージを有している。
又、黄色はポジティブ表出語として楽天的、先見的、ネガティブ表出語としてせっかち、きまぐれという心理的イメージを有し、緑色はポジティブ表出語として観察力、合理的、ネガティブ表出語として日和見的、打算的という心理的イメージを有している。
【００１４】
又、青色はポジティブ表出語として理性的、責任感、ネガティブ表出語として分析的、義務感という心理的イメージを有し、紫色はポジティブ表出語として直観的、哲学的、ネガティブ表出語としてジレンマ、頑固という心理的イメージを有している。
又、白色はポジティブ表出語として自己確信、再生願望、ネガティブ表出語として過信、逃避という心理的イメージを有し、黒色はポジティブ表出語として羨望的、意思強固、ネガティブ表出語として虚勢的、意固地という心理的イメージを有している。
【００１５】
又、桃色はポジティブ表出語として甘い期待感、優しさ、ネガティブ表出語として依存的、自身喪失という心理的イメージを有し、水色はポジティブ表出語として安堵感、ロマン願望、ネガティブ表出語として妥協的、現実逃避という心理的イメージを有している。
そして、本考案の特徴的構成として上記各セットエリア３、５、７、９、１１と上記カラーピース１５、１７、１９、２１、２３、２５、２７、２９、３１、３３との間にセットされたカラーピース１５、１７、１９、２１、２３、２５、２７、２９、３１、３３を圧入嵌合状態で保持する嵌合保持構造３５が設けられている。
【００１６】
尚、本明細書で使用する圧入嵌合状態とは、嵌合される二部材の少なくとも一部に隙間がなく、嵌合時に一定の圧力をかけなければ嵌合状態を形成することができない状態のことを意味する。
したがって、カラーピース１５、１７、１９、２１、２３、２５、２７、２９、３１、３３を単にセットエリア３、５、７、９、１１に置くだけでは嵌合状態は形成されず、一定の圧力をかけてカラーピース１５、１７、１９、２１、２３、２５、２７、２９、３１、３３を押し込むことによって初めて嵌合状態が形成されるようになっている。
【００１７】
そして、このようにして形成された圧入嵌合状態では、上記隙間のない当接部即ち、嵌合作用部位３９において発生する摩擦力ないし挟時力によってセット台座１３を裏返してもセットされたカラーピース１５、１７、１９、２１、２３、２５、２７、２９、３１、３３はセット台座１３から脱落することなく、保持されるようになっている。
又、本実施の形態では、上記嵌合保持構造３５は、上記各セットエリア３、５、７、９、１１に設けられている嵌合凸部３ａ、５ａ、７ａ、９ａ、１１ａと、上記各カラーピース１５、１７、１９、２１、２３、２５、２７、２９、３１、３３に設けられている嵌合凹部１５ｂ、１７ｂ、１９ｂ、２１ｂ、２３ｂ、２５ｂ、２７ｂ、２９ｂ、３１ｂ、３３ｂと、によって構成されている。
【００１８】
因みに、本実施の形態では、上記嵌合凸部３ａ、５ａ、７ａ、９ａ、１１ａは、一辺の長さが約２０ｍｍ、高さが約１５ｍｍの角柱形状であり、上記嵌合凹部１５ｂ、１７ｂ、１９ｂ、２１ｂ、２３ｂ、２５ｂ、２７ｂ、２９ｂ、３１ｂ、３３ｂは、一辺の長さが約２０ｍｍ、深さが約２０ｍｍの角穴形状に形成されている。
又、上記嵌合凸部３ａ、５ａ、７ａ、９ａ、１１ａの嵌合開始部位３７となる上端部にはエッジが丸く加工された案内作用面４１が形成されていて、この案内作用面４１によって上記カラーピース１５、１７、１９、２１、２３、２５、２７、２９、３１、３３のセットエリア３、５、７、９、１１への挿入を容易にする嵌合案内構造４３が構成されている。
【００１９】
又、上記カラーピース１５、１７、１９、２１、２３、２５、２７、２９、３１、３３とセット台座１３は、適度な柔軟性を備えた合成樹脂材料によって形成されており、本実施の形態では無臭、無害で安全性に優れた玩具用ＥＶＡスポンジが使用されている。
因みに、ＥＶＡはエチレン（ポリエチレン）とビニールとアセテートの略語であり、エチレンと酢酸ビニールの共重合体である。
そして、上記玩具用ＥＶＡスポンジの有する柔軟性によって上記カラーピース１５、１７、１９、２１、２３、２５、２７、２９、３１、３３の必要な保持力を確保しつつ、円滑なカラーピース１５、１７、１９、２１、２３、２５、２７、２９、３１、３３の着脱を可能にしているのである。
【００２０】
次に、上記色彩心理検査具１を使用して行う色彩心理検査の概要について説明する。上記中心セットエリア３にセットしたカラーピース１５、１７、１９、２１、２３、２５、２７、２９、３１、３３の色をステージカラーと言い、上記右方セットエリア７にセットしたカラーピース１５、１７、１９、２１、２３、２５、２７、２９、３１、３３の色をバックアップカラーと言う。
そして、上記ステージカラーは上述したように被験者の現在の心理状態を表わし、バックアップカラーは被験者の近い未来の目標や目的を表わしている。したがって、これらの２色から被験者が前向きの心理状態を得るための判断材料を得ることができる。
【００２１】
例えば、図３に示すようにステージカラーが黄色、バックアップカラーが緑である場合には、現在は無邪気に明るく過ごしているが、近い将来、外からのプレッシャーを感じるだろうという心理状態を読み取ることができる。
又、カラーピース１５、１７、１９、２１、２３、２５、２７、２９、３１、３３の色の選択や配置だけでなく、選択の順序や配置の方向によっても被験者の心理状態を知ることができる。
【００２２】
例えば、図５中、矢印で示すように上方セットエリア９から中心セットエリア３へと縦方向にカラーピース１５、１７、１９、２１、２３、２５、２７、２９、３１、３３をセットした場合には、何をするにも「まず自分のことが優先」という被験者の心理状態を読み取ることができる。
同様に縦方向でも下方セットエリア１１から中心セットエリア３へとセットした場合、横方向や放射状あるいは回転方向にセットした場合など、それぞれの配置の方向や選択の順序に応じて被験者の心理状態を知ることができる。
【００２３】
そして、このようにして得られた検査結果に応じて被験者にどのようなバックアップカラーを日常生活の中に取り入れたらよいかをカウンセラーがアドバイスしたり、被験者自身が自分の目標につながる色を選んで日常生活に取り入れて行くようにする。
又、本実施の形態による色彩心理検査具１は上述したようにカラーピース１５、１７、１９、２１、２３、２５、２７、２９、３１、３３の保持力が増強され、取り扱いが容易になっているから被験者や使用する環境を選ばず、いつでも簡単に取り出して、ストレスなく使用することが可能になっている。
【００２４】
（２）第２の実施の形態
次に、図８を参照して本考案の第２の実施の形態に係る色彩心理検査具１Ａについて説明する。
上記５つのセットエリア３、５、７、９、１１が配置されたセット台座１３を具備する点と、上記１０色のカラーピース１５、１７、１９、２１、２３、２５、２７、２９、３１、３３を具備する点については上記第１の実施の形態と同様であり、嵌合保持構造３５Ａと嵌合案内構造４３Ａの構成のみが上記第１の実施の形態と相違している。
【００２５】
具体的には、第２の実施の形態に係る色彩心理検査具１Ａにあっては、各セットエリア３、５、７、９、１１には各カラーピース１５、１７、１９、２１、２３、２５、２７、２９、３１、３３自体を受け入れることができる嵌合凹部３ｂ、５ｂ、７ｂ、９ｂ、１１ｂ、が形成されており、各カラーピース１５、１７、１９、２１、２３、２５、２７、２９、３１、３３自体を嵌合凸部とする嵌合保持構造３５Ａが採用されている。
又、上記嵌合凹部３ｂ、５ｂ、７ｂ、９ｂ、１１ｂの嵌合開始部位３７Ａとなる上縁は、一例として４５°の傾斜面によって構成される面取り加工が施こされており、この部分が案内作用面４１Ａとなって嵌合案内構造４３Ａが構成されている。
【００２６】
そして、このような構成の色彩心理検査具１Ａを使用した場合でも上記第１の実施の形態で述べたのと同様の色彩心理検査を行うことができ、その検査結果を被験者の今後の日常生活の改善に役立てることができる。
又、本実施の形態による色彩心理検査具１Ａによっても上述した第１の実施の形態と同様のカラーピース１５、１７、１９、２１、２３、２５、２７、２９、３１、３３の保持力と取り扱いの容易さが維持されているから被験者や使用する環境を選ばず、いつでも簡単に取り出して、ストレスなく使用することが可能になっている。
【００２７】
（３）第３の実施の形態
次に、図９を参照して本考案の第３の実施の形態に係る色彩心理検査具１Ｂについて説明する。
上記５つのセットエリア３、５、７、９、１１が配置されたセット台座１３を具備する点と、上記１０色のカラーピース１５、１７、１９、２１、２３、２５、２７、２９、３１、３３を具備する点については上記第１の実施の形態と同様であり、嵌合保持構造３５Ｂと嵌合案内構造４３Ｂの構成のみが上記第１の実施の形態と相違している。
【００２８】
具体的には、第３の実施の形態に係る色彩心理検査具１Ｂにあっては、各セットエリア３、５、７、９、１１には各カラーピース１５、１７、１９、２１、２３、２５、２７、２９、３１、３３より一回り小さな嵌合凹部３ｂ、５ｂ、７ｂ、９ｂ、１１ｂが形成されており、各カラーピース１５、１７、１９、２１、２３、２５、２７、２９、３１、３３には上記嵌合凹部３ｂ、５ｂ、７ｂ、９ｂ、１１ｂと嵌合する嵌合凸部１５ａ、１７ａ、１９ａ、２１ａ、２３ａ、２５ａ、２７ａ、２９ａ、３１ａ、３３ａが形成された嵌合保持構造３５Ｂが採用されている。
又、上記嵌合凸部１５ａ、１７ａ、１９ａ、２１ａ、２３ａ、２５ａ、２７ａ、２９ａ、３１ａ、３３ａの嵌合開始部位３７Ｂとなる下端部は、その上方の嵌合作用部位３９Ｂよりも幾分、小径に形成された小径部５１になっており、該小径部５１によって嵌合案内構造４３Ｂが構成されている。
【００２９】
そして、このような構成の色彩心理検査具１Ｂを使用した場合でも上記第１の実施の形態で述べたのと同様の色彩心理検査を行うことができ、その検査結果を被験者の今後の日常生活の改善に役立てることができる。
又、本実施の形態による色彩心理検査具１Ｂによっても上述した第１の実施の形態と同様のカラーピース１５、１７、１９、２１、２３、２５、２７、２９、３１、３３の保持力と取り扱いの容易さが維持されているから被験者や使用する環境を選ばず、いつでも簡単に取り出して、ストレスなく使用することが可能になっている。
【００３０】
尚、本考案は上述した第１の実施の形態〜第３の実施の形態に限定されるものではない。
例えば、カラーピースの色は上述した１０色に限らず、他の色を使用したり、増減することが可能である。又、カラーピースは各色につき、１個ずつ設けることも可能であるし、同一色のものを複数個、用意することも可能である。
又、カラーピースの形状は上述したような立方体形状の他、直方体形状、三角柱形状、球体形状等、種々の形状が採用可能であり、セットベースの形状もコーナ部が丸く加工された平板形状、円板形状、曲板形状等、種々の形状が採用可能である。
【産業上の利用可能性】
【００３１】
本考案は、病院や精神的ケアを目的とする施設あるいは家庭や学校、職場等において色彩心理検査を行う場合に利用でき、特にベッドに寝たままの姿勢や体の不自由な人が色彩心理検査を行いたい場合に利用可能性を有する。
【符号の説明】
【００３２】
１  色彩心理検査具
３  中心セットエリア
３ａ  嵌合凸部
３ｂ  嵌合凹部
５  左方セットエリア
５ａ  嵌合凸部
５ｂ  嵌合凹部
７  右方セットエリア
７ａ  嵌合凸部
７ｂ  嵌合凹部
９  上方セットエリア
９ａ  嵌合凸部
９ｂ  嵌合凹部
１１  下方セットエリア
１１ａ  嵌合凸部
１１ｂ  嵌合凹部
１３  セット台座
１５  赤色のカラーピース
１５ａ  嵌合凸部
１５ｂ  嵌合凹部
１７  橙色のカラーピース
１７ａ  嵌合凸部
１７ｂ  嵌合凹部
１９  黄色のカラーピース
１９ａ  嵌合凸部
１９ｂ  嵌合凹部
２１  緑色のカラーピース
２１ａ  嵌合凸部
２１ｂ  嵌合凹部
２３  青色のカラーピース
２３ａ  嵌合凸部
２３ｂ  嵌合凹部
２５  紫色のカラーピース
２５ａ  嵌合凸部
２５ｂ  嵌合凹部
２７  白色のカラーピース
２７ａ  嵌合凸部
２７ｂ  嵌合凹部
２９  黒色のカラーピース
２９ａ  嵌合凸部
２９ｂ  嵌合凹部
３１  桃色のカラーピース
３１ａ  嵌合凸部
３１ｂ  嵌合凹部
３３  水色のカラーピース
３３ａ  嵌合凸部
３３ｂ  嵌合凹部
３５  嵌合保持構造
３７  嵌合開始部位
３９  嵌合作用部位
４１  案内作用面
４３  嵌合案内構造
５１  小径部
【図１】
0003150308.tif 000003
【図２】
0003150308.tif 000004
【図３】
0003150308.tif 000005
【図４】
0003150308.tif 000006
【図５】
0003150308.tif 000007
【図６】
0003150308.tif 000008
【図７】
0003150308.tif 000009
【図８】
0003150308.tif 000010
【図９】
0003150308.tif 000011